(57)【特許請求の範囲】
【請求項１】
遊技盤の左側下方部に、パチンコ球を該遊技盤へ向ってほぼ垂直上方に打ち上げる発射装置を設けると共に、前記遊技盤の右側下方部に、前記発射装置の発射動作を操作する操作ハンドルを設け、且つ、前記遊技盤の下方に設ける球受皿を１皿のみとし、この球受皿内に貸し球と賞球を受け入れてその球を１個ずつ前記発射装置へ供給するパチンコ機であって、
前記発射装置で打ち上げるパチンコ球を前記遊技盤へ向ってほぼ垂直上方に案内する発射レールを、その上方側をやや左側に傾斜させた状態で前記遊技盤の左側下方部に設け、
前記遊技盤の下方へ逆戻りしてくるファール球を回収するためのファール球回収口を前記発射レールの上部左側に隣接して設けると共に、このファール球回収口と前記球受皿との間をファール球回収通路で接続し、
前記発射レールから上方に飛び出したパチンコ球を前記遊技盤の上部中央へ案内するガイドレールの中間膨らみ部分よりも前記発射レールの上端部を右側に位置させることで、前記ガイドレールの中間膨らみ部分の垂直下方に前記ファール球回収口を位置させたことを特徴とするパチンコ機。
【請求項２】
前記球受皿は、数百個程度若しくはそれ以上のパチンコ球を貯留できるように大容量化されていると共に、その底面の少なくとも一部が上下方向に傾動可能な可動底板により構成され、この可動底板が弾性支持手段により弾性支持されていることを特徴とする請求項１に記載のパチンコ機。
【請求項３】
前記発射装置は、打球槌を上下方向に揺動させてパチンコ球を打ち上げることを特徴とする請求項１又は２に記載のパチンコ機。
【発明の詳細な説明】
【０００１】
【発明の属する技術分野】
本発明は、パチンコ球の発射方式と球受皿を改良することで、遊技盤の盤面拡大を容易にするパチンコ機に関するものである。
【０００２】
【従来の技術】
従来の一般的なパチンコ機は、図５に示すように、パチンコ機の下部に上皿１と下皿２という２つの球受皿を設け、上皿１に貸し球と賞球を受け入れ、上皿１が賞球で満杯になったときに下皿２内へ賞球を流すようになっている。更に、遊技盤３の下方に、パチンコ球を右側下部から左側斜め上方に向けて発射する発射レール４を設け、発射レール４側へ逆戻りしてくるファール球を下皿２内に回収するようになっている。
【０００３】
近年のパチンコ機は、ゲーム内容が益々多様化する傾向にあり、それに伴って遊技盤３に設ける各種の役物・入賞装置の大型化や表示器・イルミネーションの増加等、遊技盤３の盤面構成にも様々な工夫が凝らされるようになってきている。盤面構成上は、遊技盤３の盤面が大きくなるほど、盤面構成の設計の自由度も大きくなり、盤面構成の多様化・ゲーム性向上に好都合である。従来より、パチンコ機の外形寸法は一定サイズに規定されているので、遊技盤１３の盤面を拡大するとしたら、遊技盤３の盤面を下方に拡大することになるが、上述したように、遊技盤３の下方には、発射レール４と上下２つの球受皿１，２を設けるスペースが必要となるため、実際には遊技盤１３の盤面を下方に拡大することは不可能であった。
【０００４】
そこで、本発明者は、特開平１−２１４３８３号公報に示すように、発射レールを遊技盤の右側下方部にほぼ垂直に設け、パチンコ球を遊技盤の右側下方部からほぼ垂直上方に打ち上げるようにしたパチンコ機を提案している。このパチンコ機では、遊技盤の下方を発射レールが横切らないため、その分、遊技盤面を下方へ拡大することができる。
【０００５】
【発明が解決しようとする課題】
しかしながら、上記公開公報のパチンコ機でも、図５のパチンコ機と同じく、上下２つのの球受皿が必要となる。つまり、貸し球と賞球を受け入れる上皿と下方へ逆戻りしてくるファール球を受け入れる下皿とが必要となるため、遊技盤面の下方への拡大が上下２つの球受皿によって制限されてしまい、遊技盤面を少量拡大できるに過ぎない。
【０００６】
本発明はこのような事情を考慮してなされたものであり、従ってその目的は、遊技盤面の下方への拡大が容易で、盤面構成の設計の自由度を大きくすることができるパチンコ機を提供することにある。
【０００７】
【課題を解決するための手段】
上記目的を達成するために、本発明の請求項１のパチンコ機は、遊技盤の左側下方部に、パチンコ球を該遊技盤へ向ってほぼ垂直上方に打ち上げる発射装置を設けると共に、前記遊技盤の右側下方部に、前記発射装置の発射動作を操作する操作ハンドルを設け、且つ、前記遊技盤の下方に設ける球受皿を１皿のみとし、この球受皿内に貸し球と賞球を受け入れてその球を１個ずつ前記発射装置へ供給すると共に、前記発射装置で打ち上げるパチンコ球を前記遊技盤へ向ってほぼ垂直上方に案内する発射レールを、その上方側をやや左側に傾斜させた状態で前記遊技盤の左側下方部に設け、前記遊技盤の下方へ逆戻りしてくるファール球を回収するためのファール球回収口を前記発射レールの上部左側に隣接して設けると共に、このファール球回収口と前記球受皿との間をファール球回収通路で接続し、前記発射レールから上方に飛び出したパチンコ球を前記遊技盤の上部中央へ案内するガイドレールの中間膨らみ部分よりも前記発射レールの上端部を右側に位置させることで、前記ガイドレールの中間膨らみ部分の垂直下方に前記ファール球回収口を位置させた構成としたものである。
【０００８】
この構成では、パチンコ球を遊技盤の左側下方部からほぼ垂直上方に打ち上げるため、遊技盤の下方をパチンコ球の発射通路が左右に横切らずに済み、遊技盤面の下方への拡大に発射通路が障害とならない。しかも、貸し球と賞球が受け入れられる球受皿に、発射レール側へ逆戻りしてくるファール球がファール球回収通路を通って回収される。これにより、１つの球受皿で貸し球と賞球及びファール球を全て処理することができるようになるため、従来の“下皿”が不要となり、遊技盤の下方に設ける球受皿が１皿のみで良くなる。この球受皿の１皿化により、球受皿の位置を従来の上皿の位置よりも低くすることができ、その分、遊技盤面の下方への拡大量を大きくすることができる。
ところで、前述した特開平１−２１４３８３号公報に示されているパチンコ機は、パチンコ球の発射位置を遊技盤の右側下方部（操作ハンドルの近傍）に設定し、遊技盤の右側下方部からパチンコ球をほぼ垂直上方に打ち上げるようにしているため、遊技盤上部へのパチンコ球の跳び出し方向が反時計回り方向（従来の一般的なパチンコ機と反対）となり、従来機種でゲームしなれた遊技者が違和感を感じることがあった。
そこで、請求項１では、発射装置で打ち上げるパチンコ球を遊技盤へ向ってほぼ垂直上方に案内する発射レールを遊技盤の左側下方部に設け、遊技盤の左側下方部からパチンコ球をほぼ垂直上方に打ち上げるようにしているため、遊技盤上部へのパチンコ球の跳び出し方向が従来の一般的なパチンコ機と同じ時計回り方向となり、従来機種でゲームしなれた遊技者でも違和感を感じることがない。
しかも、発射レールの上端部を遊技盤のガイドレールの中間膨らみ部分よりも右側に位置させて、ガイドレールの中間膨らみ部分の垂直下方（つまりファール球の落下方向）にファール球回収口を位置させるようにしたので、ファール球がファール球回収口内に回収されやすい構造となっている。
【０００９】
ところで、球受皿の１皿化に伴い、球受皿の容量をある程度大きくする必要があるが、球受皿の容量を大きくするに従って、球受皿内で下流側のパチンコ球に加わる背圧（背後のパチンコ球から受ける荷重）が大きくなり、その背圧によってパチンコ球がブリッジを組んで球流れが悪くなってしまうおそれがある。
【００１０】
そこで、請求項２では、球受皿を、数百個程度若しくはそれ以上のパチンコ球を貯留できるように大容量化すると共に、その底面の少なくとも一部を上下方向に傾動可能な可動底板により構成し、この可動底板を弾性支持手段により弾性支持させる。この球受皿は、パチンコ球の貯留量が多くなるに従ってその重量により可動底板が弾性支持手段の反発力に抗して押し下げられ、その下り勾配が小さくなる（ここで「下り勾配が小さくなる」とは下り勾配が０°に近付くことと０°以下になることのいずれかを意味する）。この構成により、球受皿内のパチンコ球の貯留量が従来よりも多くなっても、パチンコ球１個当りの背圧が小さくなって、下流側のパチンコ球に加わる背圧が適正レベルに抑えられ、下流側でパチンコ球がブリッジを組んで球流れが悪くなることが未然に防止される。
【００１１】
その後、パチンコ球の貯留量が少なくなるに従って、可動底板に加わるパチンコ球の重量が小さくなって、可動底板が弾性支持手段により上方へ押し戻され、可動底板の下り勾配が大きくなる。これにより、下流側のパチンコ球に加わる背圧が常に適正レベルに自動調整されて、スムーズな球流れが確保される。
【００１４】
また、遊技盤の盤面拡大に伴って球受皿の位置を低くすれば、それに伴なって発射位置への球流れを確保するために発射位置を低くする必要がある。そして、発射位置が低くなれば、発射装置の上下方向の設置スペースが制約され、狭いスペースで正確な発射動作を行わせる必要がある。
【００１５】
そこで、請求項３では、発射装置は、打球槌を上下方向に揺動させてパチンコ球を打ち上げる構成となっている。この構成では、打球槌がほぼ水平方向に取り付けられるので、上下方向に狭いスペースでも、十分な長さの打球槌を配置することが可能となり、上下方向に安定した発射動作を行うことができる。
【００１６】
【発明の実施の形態】
以下、本発明の一実施形態を図１乃至図４に基づいて説明する。パチンコ機の機枠１０に遊技盤１１が取り付けられ、この遊技盤１１の盤面には、例えば複数の表示器１２を組み合わせた大型センター役物、各種の入賞口１３、大型センター役物を始動させるための始動口１４、大型センター役物の動作結果によって開放時間・開放回数が可変される可変入賞装置１５等が設けられている。また、遊技盤１１の左側部には、後述するように遊技盤１１の左側下方部からほぼ垂直上方に打ち上げられたパチンコ球を遊技盤１１の上部中央へ案内するガイドレール１６が設けられている。
【００１７】
また、機枠１０の前面下部には前板１７が設けられ、この前板１７には、操作ハンドル１８と、数百個程度若しくはそれ以上のパチンコ球を貯留できるように大容量化された球受皿２５が１皿のみ設けられている。以下、この球受皿２５の構成を図３（縦断右側面図）及び図４（縦断正面図）に基づいて説明する。この球受皿２５は、機枠１０の前面に設けられた賞球流入口３０から流入したパチンコ球（賞球）を受け溜め、このパチンコ球を球受皿２５の前部に設けられた流出口３１に向けて前方へ流すようになっている。この球受皿２５は、底面を可動底板２６により構成し、この可動底板２６の前端部を軸２７を介して球受皿２５の側壁に支持させることで、その軸２７を支点にして可動底板２６を上下方向に傾動可能に支持させている。
【００１８】
この可動底板２６の後部側は、下方から弾性支持手段であるバネ２８により受け支えられ、パチンコ球の貯留量が少ないときには、可動底板２６の後部側がバネ２８の反発力により押し上げられて、可動底板２６の下り勾配が大きくなる。この可動底板２６の最大勾配は、可動底板２６の上流側端部（後端部）に設けられた突片２６ａが、球受皿２５の後壁に形成されたストッパ部２９に突き当たることで規制される。そして、球受皿２５内のパチンコ球の貯留量が多くなるに従って、その重量により可動底板２６がバネ２８の反発力に抗して図３に二点鎖線で示すように押し下げられてその下り勾配が小さくなる（この実施形態では、最終的には下り勾配が０°以下になる）。
【００１９】
この実施形態では、可動底板２６の下流側の１辺部を除く他の３辺部に、立上り壁２６ｂが一体に形成され、この立上り壁２６ｂでパチンコ球を受けることによって球受皿２５の内側面とパチンコ球との接触抵抗を少なくして、可動底板２６の上下動をスムーズに行わせるようになっている。更に、この可動底板２６は左右両側部から中央部の流出口３１側に向けて自然に球流れするように、左右両側部から中央部に向けて下り傾斜がつけられている。
【００２０】
一方、可動底板２６から流出口３１へ流出したパチンコ球は、球受皿２５の前部に設けられた整流路３２（図４参照）に流れ込み、この整流路３２内で一列に整列されながら左側方へ流れて、球受皿２５の左側部に設けられた整流器（図示せず）に導かれる。上記整流路３２の途中部の上壁面には、パチンコ球の流れを一列にならす球ならし板３４がスプリング３５により下方に付勢された状態で設けられている。また、整流路３２の上流部には球抜き口３６が設けられ、この球抜き口３６を球抜き部材３７によって開閉できるようになっている。この球抜き部材３７は、通常はスプリング３８の弾発力により球抜き口３６を閉鎖する位置に保持され、遊技客が球抜き部材３７のレバー３９（図３参照）を右方向にスライド操作することによって球抜き口３６が開放される。
【００２１】
次に、図２に基づいてパチンコ球の発射方式を説明する。遊技盤１１の左側下方に、パチンコ球を発射するための発射レール４０がほぼ垂直（正確にはファール球の逆戻りを避けるために上方側をやや左側に傾斜させた状態）に取り付けられている。この発射レール４０の下端部をＬ字形に屈曲することにより形成された発射位置４１には、パチンコ球の発射毎に前記整流器からパチンコ球が１個ずつ送られてくる。
【００２２】
この発射位置４１の近傍には、前記操作ハンドル１８によって操作される発射装置４２が設けられている。この発射装置４２の操作ハンドル１８は、図１に示すように、発射レール４０の位置とは左右反対側の位置である遊技盤１１の右側下方部に配置されている。この発射装置４２は、モータ４３で風車型のカム４４を回転させ、そのカム４４によりカム従動レバー４５を軸４６を中心に右方向に回動させることで、該軸４６に固定された打球槌４７を上下方向に揺動させる構成となっている。この場合、打球槌４７はほぼ水平方向に取り付けられて、その先端の打撃部４７ａが発射位置４１の下方に位置し、操作ハンドル１８の回動操作量で引張力が調整されるスプリング（図示せず）によって打球槌４７が上方（反時計回り方向）に付勢されている。
【００２３】
そして、モータ４３で回転されるカム４４がカム従動レバー４５を右方向に押して回動させる毎に、打球槌４７が上記スプリングに抗して下方に回動され、カム４４がカム従動レバー４５から外れた瞬間に打球槌４７が上記スプリングにより上方に瞬間的に回動され、打撃部４７ａが発射位置４１上のパチンコ球を発射レール４０に沿ってほぼ垂直上方に打ち上げる。発射レール４０の上方には、遊技盤１１に設けられたガイドレール１６が位置し、発射レール４０から上方に飛び出したパチンコ球がガイドレール１６に沿って遊技盤１１の上部中央へ案内される。
【００２４】
一方、ガイドレール１６を下方に逆戻りしてくるパチンコ球（ファール球）を球受皿２５に回収するために、発射レール４０の上部左側に隣接してファール球回収口４８が設けられ、このファール球回収口４８と球受皿２５に設けられたファール球流入口４９との間がファール球回収通路５０によって連通されている。このファール球回収通路５０は、ファール球流入口４９に向かって下り勾配となるように形成され、ファール球回収口４８内に落下したファール球が重力により自然にファール球回収通路５０を流れてファール球流入口４９から球受皿２５内に流れ込むようになっている。
【００２５】
この場合、発射レール４０をやや左側に傾斜させることで、ガイドレール１６の中間膨らみ部分（図１参照）から垂直に落下するファール球が発射レール４０内に落下しないようになっており、ガイドレール１６の中間膨らみ部分の垂直下方（つまりファール球の落下方向）にファール球回収口４８が位置して、ファール球がファール球回収口４８内に回収されやすい構造となっている。また、ファール球回収口４８と発射レール４０との境界部分にはファール球受片５１が設けられ、このファール球受片５１に落下したファール球がファール球回収口４８内に転がり込むようになっている。
【００２６】
以上説明した実施形態によれば、パチンコ球を遊技盤１１の一側下方部からほぼ垂直上方に打ち上げるため、遊技盤１１の下方を発射レール４０が左右に横切らず、遊技盤１１の盤面を下方に拡大するのに発射レール４０が障害とならない。しかも、貸し球と賞球が受け入れられる球受皿２５に、発射レール４０側へ逆戻りしてくるファール球がファール球回収通路５０を通って回収されるので、１つの球受皿２５で貸し球と賞球及びファール球を全て処理することができて、従来の“下皿”が不要となり、遊技盤１１の下方に設ける球受皿２５が１皿のみで良くなる。
【００２７】
この球受皿２５の１皿化により、球受皿２５の位置を従来の上皿の位置よりも低くすることができ、その分、遊技盤１１の盤面の下方への拡大量を大きくすることができる。これにより、盤面構成の設計に余裕ができ、遊技盤１１に設ける各種の役物・入賞装置の大型化や表示器・イルミネーションの増加等を容易に実現することができて、従来構造のものでは実現できない多様な入賞形態の盤面構成も可能となり、ゲーム性向上の要求も満たすことができる。しかも、従来では下皿に流れ込んでいたファール球も貸し球と賞球と一緒に１つの球受皿２５に受け溜めることができるので、ゲーム中に遊技客がゲームを中断して下皿からパチンコ球を上皿へ移し替える作業を行う必要が無く、遊技客の手間を省くことができると共に、遊技客はパチンコ球に手を触れずにゲームすることができて、清潔である。
【００２８】
ところで、球受皿２５の１皿化に伴い、球受皿２５の容量をある程度大きくする必要があるが、球受皿２５の容量を大きくするに従って、球受皿２５内で下流側のパチンコ球に加わる背圧（背後のパチンコ球から受ける荷重）が大きくなり、その背圧によってパチンコ球がブリッジを組んで球流れが悪くなってしまうおそれがある。
【００２９】
この問題を解消するため、上記実施形態では、球受皿２５の大容量化・１皿化に際して、球受皿２５の底面を可動底板２６で構成し、パチンコ球の貯留量が多くなるに従って、その重量により可動底板２６がバネ２８の反発力に抗して押し下げられてその下り勾配が小さくなるように構成している。これにより、球受皿２５内のパチンコ球の貯留量が従来よりも多くなっても、パチンコ球１個当りの背圧を小さくすることができて、流出口３１周辺のパチンコ球に加わる背圧を適正レベルに抑えることができ、流出口３１周辺でパチンコ球がブリッジを組んで球流れが悪くなることを未然に防止することができる。そして、球受皿２５内のパチンコ球の貯留量が減少するに従って、可動底板２６に加わるパチンコ球の重量が小さくなって、可動底板２６がバネ２８により上方に押し戻され、可動底板２６の下り勾配が大きくなって、パチンコ球が下流側へ流れ易い状態になる。これにより、流下口３１周辺のパチンコ球に加わる背圧を常に適正レベルに自動調整することができて、スムーズな球流れを確保することができる。このため、球流れを悪くすることなく、球受皿２５の容量を十分に大きくすることが可能となる。
【００３０】
ところで、前述した特開平１−２１４３８３号公報に示されているパチンコ機は、パチンコ球の発射位置を遊技盤の右側下方部（操作ハンドルの近傍）に設定し、遊技盤の右側下方部からパチンコ球をほぼ垂直上方に打ち上げるようにしているので、遊技盤上部へのパチンコ球の跳び出し方向が反時計回り方向（従来の一般的なパチンコ機と反対）となり、従来機種でゲームしなれた遊技者が違和感を感じることがあった。
【００３１】
そこで、上記実施形態では、発射レール４０を遊技盤１１の左側下方部に設け、遊技盤１１の左側下方部からパチンコ球をほぼ垂直上方に打ち上げるようにしている。これにより、遊技盤１１上部へのパチンコ球の跳び出し方向が従来の一般的なパチンコ機と同じ時計回り方向となり、従来機種でゲームしなれた遊技者でも違和感を感じることがない。
【００３２】
また、遊技盤１１の盤面拡大に伴って球受皿２５の位置を低くすれば、それに伴なって発射位置４１への球流れを確保するために発射位置４１を低くする必要がある。そして、発射位置４１が低くなれば、発射装置４２の上下方向の設置スペースが制約され、狭いスペースで正確な発射動作を行わせる必要がある。
【００３３】
そこで、上記実施形態では、発射装置４２の打球槌４７を上下方向に揺動させてパチンコ球を打ち上げる構成とし、打球槌４７をほぼ水平方向に取り付けているので、上下方向に狭いスペースでも、十分な長さの打球槌４７を配置することができて、上下方向に安定した発射動作を行うことができ、パチンコ球の跳び具合も安定させることができる。
【００３４】
尚、上記実施形態では、可動底板２６の前端部を下流側にして軸支させるようにしたが、例えば、可動底板の左端部又は右端部を下流側にして軸支させ、この可動底板の側方に流出口を形成するようにしても良い等、可動底板の軸支箇所，流出口の位置を適宜変更して実施することができる。
【００３５】
その他、本発明は、球受皿２５内に賞球を導く賞球通路の途中に、球受皿２５内の賞球貯留量が満杯になったか否かを検出する手段を設け、満杯になったときにその旨を表示又は音で報知する報知手段を設けるようにしても良い等、要旨を逸脱しない範囲内で種々変更して実施できることは言うまでもない。
【００３６】
【発明の効果】
以上の説明から明らかなように、本発明の請求項１のパチンコ機は、遊技盤の左側下方部に、パチンコ球をほぼ垂直上方に向けて打ち上げる発射装置を設けると共に、遊技盤の右側下方部に、発射装置の発射動作を操作する操作ハンドルを設け、且つ、遊技盤の下方に設ける球受皿を１皿のみとし、この球受皿内に貸し球、賞球及びファール球を受け入れるようにしたので、遊技盤面の下方への拡大が容易となり、遊技盤に設ける各種の役物・入賞装置の大型化や表示器・イルミネーションの増加等を容易に実現することができて、盤面構成の多様化やゲーム性向上の要求を満たすことができる。しかも、ゲーム中に遊技客が下皿からパチンコ球を上皿へ移し替える作業を行う必要が無く、遊技客の手間を省くことができると共に、遊技客はパチンコ球に手を触れずにゲームすることができて、清潔である。
更に、発射レールを遊技盤の左側下方部に設け、遊技盤の左側下方部からパチンコ球をほぼ垂直上方に打ち上げるようにしているので、遊技盤上部へのパチンコ球の跳び出し方向が従来の一般的なパチンコ機と同じ時計回り方向となり、従来機種でゲームしなれた遊技者でも違和感を感じることがない。
しかも、発射レールの上端部を遊技盤のガイドレールの中間膨らみ部分よりも右側に位置させて、ガイドレールの中間膨らみ部分の垂直下方（つまりファール球の落下方向）にファール球回収口を位置させるようにしたので、ファール球がファール球回収口内に回収されやすいという利点もある。
【００３７】
更に、請求項２の構成では、球受皿内のパチンコ球の貯留量が多くなるに従って、その重量により可動底板が弾性支持手段の反発力に抗して押し下げられてその下り勾配が小さくなるように構成されているので、パチンコ球の貯留量が従来よりも多くなっても、パチンコ球１個当りの背圧を小さくすることができて、下流側のパチンコ球に加わる背圧を適正レベルに抑えることができ、下流側でパチンコ球がブリッジを組んで球流れが悪くなることを未然に防止することができ、球受皿の大容量化が可能となる。
【００３９】
また、請求項３では、打球槌を上下方向に揺動させてパチンコ球を打ち上げる構成となっているので、上下方向に狭いスペースでも、十分な長さの打球槌を配置することができて、パチンコ球の跳び具合を安定させることができる。
【図面の簡単な説明】
【図１】本発明の一実施形態を示すパチンコ機全体の正面図
【図２】発射装置及び発射レール周辺の構造を説明する正面図
【図３】球受皿の縦断右側面図
【図４】図３のＡ−Ａ線に沿って示す球受皿の縦断正面図
【図５】従来のパチンコ機を示す正面図
【符号の説明】
１０…機枠、１１…遊技盤、１６…ガイドレール、１８…操作ハンドル、２５…球受皿、２６…可動底板、２８…バネ（弾性支持手段）、３０…賞球流入口、３１…流出口、３２…整流路、３６…球抜き口、３７…球抜き部材、４０…発射レール、４１…発射位置、４２…発射装置、４３…モータ、４４…カム、４５…カム従動レバー、４７…打球槌、４８…ファール球回収口、４９…ファール球流入口、５０…ファール球回収通路、５１…ファール球受片。
【図１】
0003907717.tif 000002
【図２】
0003907717.tif 000003
【図３】
0003907717.tif 000004
【図４】
0003907717.tif 000005
【図５】
0003907717.tif 000006